(57)【要約】  本発明に係る通信サービスプロセス衝突を処理する方法及び関連装置は、ＵＥがＣＳドメインのページングメッセージを受信時の自身の自発的に開始するＮＡＳプロセスと衝突する問題点を解決する。当該方法は、ユーザー設備がネットワーク側装置から送信された第一ページングメッセージを受信することと、前記第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始することとを含む。【選択図】図１
2012518296.tif 000002
【特許請求の範囲】
【請求項１】
ユーザー設備がネットワーク側装置から送信された第一ページングメッセージを受信することと、
前記第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始することと、
を含むことを特徴とする通信サービスプロセス衝突を処理する方法。
【請求項２】
前記ユーザー設備が第二ページングメッセージを受信し、前記第二ページングメッセージは、前記ネットワーク側装置が前記ユーザー設備により開始された初期非アクセス層プロセスを処理完了後、前記初期非アクセス層プロセスの種類により、回線交換ドメイン接続状態のページングプロセスを開始する必要があると確定した際に開始された回線交換ドメイン接続状態のページングプロセスに対応するメッセージであることと、
受信された前記第二ページングメッセージにより、前記ネットワーク側装置から開始された回線交換ドメイン接続状態のページングプロセスを処理することと、
を更に含むことを特徴とする請求項１記載の通信サービスプロセス衝突を処理する方法。
【請求項３】
前記ユーザー設備により開始された初期非アクセス層プロセスはＥＰＳ移動性管理プロセス又はサービス要請プロセスである、ことを特徴とする請求項１記載の通信サービスプロセス衝突を処理する方法。
【請求項４】
前記ＥＰＳ移動性管理プロセスはデタッチプロセス又はトラッキングエリア更新プロセスである、ことを特徴とする請求項３記載の通信サービスプロセス衝突を処理する方法。
【請求項５】
ネットワーク側装置がユーザー設備に対して回線交換ドメインのページングメッセージである第一ページングメッセージを送信することと、
前記ユーザー設備により初期非アクセス層プロセスを開始する時に対応するメッセージを受信し、前記ユーザー設備は、受信された第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始することと、
ネットワーク側装置は受信されたメッセージにより、前記ユーザー設備より開始された初期非アクセス層プロセスを処理することと
を含むことを特徴とする通信サービスプロセス衝突を処理する方法。
【請求項６】
ネットワーク側装置は前記初期非アクセス層プロセスの種類により、前記初期非アクセス層プロセスを処理完了後、回線交換ドメイン接続状態のページングプロセスを開始する必要があるかどうかを確定することと、
回線交換ドメイン接続状態のページングプロセスを開始する必要があると確定した場合、前記回線交換ドメイン接続状態のページングプロセスを開始することと、
前記ユーザー設備に対して、前記開始された回線交換ドメイン接続状態のページングプロセスに対応する第二ページングメッセージを送信することと
を更に含むことを特徴とする請求項５記載の通信サービスプロセス衝突を処理する方法。
【請求項７】
ネットワーク側装置は、前記初期非アクセス層プロセスの種類がデタッチプロセスである場合、回線交換ドメイン接続状態のページングプロセスを開始する必要がないと確定する、ことを特徴とする請求項６記載の通信サービスプロセス衝突を処理する方法。
【請求項８】
ネットワーク側装置は、前記初期非アクセス層プロセスの種類がトラッキングエリア更新プロセス又はサービス要請プロセスである場合、回線交換ドメイン接続状態のページングプロセスを開始する必要があると確定する、ことを特徴とする請求項６記載の通信サービスプロセス衝突を処理する方法。
【請求項９】
前記初期非アクセス層プロセスの種類がトラッキングエリア更新プロセスである場合、更に、
ネットワーク側装置が非アクセス層プロセスのシグナリング接続を釈放する前、前記ユーザー設備とネットワーク側のベアラ接続を確立することと、
前記初期非アクセス層プロセスを処理完了後、回線交換ドメイン接続状態のページングプロセスを開始することと、
前記ユーザー設備に対して、前記開始された回線交換ドメイン接続状態のページングプロセスに対応する第二ページングメッセージを送信することと
を含むことを特徴とする請求項８記載の通信サービスプロセス衝突を処理する方法。
【請求項１０】
ネットワーク側装置から送信された第一ページングメッセージを受信する第一受信ユニットと、
第一受信ユニットにより受信された第一ページングメッセージが回線交換ドメインのページングメッセージであるかどうか、且つ前記ユーザー設備が丁度初期非アクセス層プロセスを開始しようとしているかどうかを判断する判断ユニットと、
判断ユニットにより前記第一ページングメッセージが回線交換ドメインのページングメッセージであり、且つ前記ユーザー設備が丁度初期非アクセス層プロセスを開始しようとしていると判断した場合、前記第一ページングメッセージを無視し、前記初期非アクセス層プロセスを開始する第一処理ユニットと
を含むことを特徴とするユーザー設備。
【請求項１１】
第二ページングメッセージを受信し、前記第二ページングメッセージは前記ネットワーク側装置が前記ユーザー設備により開始された初期非アクセス層プロセスを処理完了後、前記初期非アクセス層プロセスの種類により、回線交換ドメイン接続状態のページングプロセスを開始する必要があると確定した際に開始された回線交換ドメイン接続状態のページングプロセスに対応するメッセージである第二受信ユニットと、
第二受信ユニットで受信された前記第二ページングメッセージにより、前記ネットワーク側装置から開始された回線交換ドメイン接続状態のページングプロセスを処理する第二処理ユニットと
を更に含むことを特徴とする請求項１０記載のユーザー設備。
【請求項１２】
ユーザー設備に対して回線交換ドメインのページングメッセージである第一ページングメッセージを送信する送信ユニットと、
前記ユーザー設備により初期非アクセス層プロセスを開始する時に対応するメッセージを受信し、前記ユーザー設備が、受信された第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始する受信ユニットと、
受信ユニットで受信されたメッセージにより、前記ユーザー設備より開始された初期非アクセス層プロセスを処理する処理ユニットと、
を含むことを特徴とするＥＰＳ移動管理装置。
【請求項１３】
処理ユニットにより前記初期非アクセス層プロセスを処理完了後、前記初期非アクセス層プロセスの種類により、回線交換ドメイン接続状態のページングプロセスを開始する必要があるかどうかを確定する確定ユニットと、
確定ユニットにより回線交換ドメイン接続状態のページングプロセスを開始する必要があると確定した場合、前記回線交換ドメイン接続状態のページングプロセスを開始し、又、前記ユーザー設備に対して、前記開始された回線交換ドメイン接続状態のページングプロセスに対応する第二ページングメッセージを送信するプロセス開始ユニットと
を更に含むことを特徴とする請求項１２記載のＥＰＳ移動管理装置。
【請求項１４】
ユーザー設備がネットワーク側装置から送信された第一ページングメッセージを受信することと、
前記第一ページングメッセージが回線交換ドメインのページングメッセージであり、且つ自身が丁度初期非アクセス層プロセスを開始しようとしていると判断した場合、前記初期非アクセス層プロセスの種類により、前記第一ページングメッセージに対応するページングプロセスと前記初期非アクセス層プロセスとを処理する方式を確定することと、
確定された方式により、前記第一ページングメッセージに対応するページングプロセスと前記初期非アクセス層プロセスとを処理することと、
を含むことを特徴とする通信サービスプロセス衝突を処理する方法。
【請求項１５】
ユーザー設備は前記初期非アクセス層プロセスの種類がデタッチプロセスである場合に、確定した方式は前記第一ページングメッセージに対応するページングプロセスを無視し、前記デタッチプロセスを開始することである、ことを特徴とする請求項１４記載の通信サービスプロセス衝突を処理する方法。
【請求項１６】
ユーザー設備は前記初期非アクセス層プロセスの種類がトラッキングエリア更新プロセスである場合に、確定した方式は前記第一ページングメッセージに対応するページングプロセスを無視し、活性化識別子を携帯したトラッキングエリア更新プロセスを開始する、ことを特徴とする請求項１４記載の通信サービスプロセス衝突を処理する方法。
【請求項１７】
前記第一ページングメッセージに対応するページングプロセスはサービス要請プロセスを含むことを特徴とする請求項１６記載の通信サービスプロセス衝突を処理する方法。
【請求項１８】
ユーザー設備は前記初期非アクセス層プロセスの種類がサービス要請プロセスである場合に、確定した方式は、
ユーザー設備が前記第一ページングメッセージに対応するページング要請を受け入れる場合、初期非アクセス層プロセスへの実行を無視し、前記第一ページングメッセージに対応するページングプロセスを処理し、
ユーザー設備が前記第一ページングメッセージに対応するページング要請を拒否する場合、前記第一ページングメッセージに対応するページングプロセスを無視し、前記初期非アクセス層プロセスを処理する、
ことを特徴とする請求項１４記載の通信サービスプロセス衝突を処理する方法。
【請求項１９】
前記ユーザー設備が第二ページングメッセージを受信し、前記第二ページングメッセージは、前記ネットワーク側装置が前記ユーザー設備により開始された初期非アクセス層プロセスを処理完了後、前記初期非アクセス層プロセスの種類により、回線交換ドメイン接続状態のページングプロセスを開始する必要があると確定した際に開始された回線交換ドメイン接続状態のページングプロセスに対応するメッセージであることと、
受信された前記第二ページングメッセージにより、前記ネットワーク側装置から開始された回線交換ドメイン接続状態のページングプロセスを処理することと、
を更に含むことを特徴とする請求項１６、１７又は１８に記載の通信サービスプロセス衝突を処理する方法。
【請求項２０】
ネットワーク側装置がユーザー設備に対して回線交換ドメインのページングメッセージである第一ページングメッセージを送信することと、
前記ユーザー設備から送信された第一ページングメッセージに対応する応答メッセージを受信した場合、前記第一ページングメッセージに対応するページングプロセスを処理することと、
前記ユーザー設備により初期非アクセス層プロセスを開始するに対応するメッセージを受信した場合、前記ユーザー設備より開始された初期非アクセス層プロセスを処理することと、
を含むことを特徴とする通信サービスプロセス衝突を処理する方法。
【請求項２１】
ネットワーク側装置は前記初期非アクセス層プロセスを処理完了後、前記初期非アクセス層プロセスの種類により、回線交換ドメイン接続状態のページングプロセスを開始する必要があるかどうかを判断することと、
回線交換ドメイン接続状態のページングプロセスを開始する必要があると判断した場合、前記回線交換ドメイン接続状態のページングプロセスを開始することと、
前記ユーザー設備に対して、前記開始された回線交換ドメイン接続状態のページングプロセスに対応する第二ページングメッセージを送信することと、
を更に含むことを特徴とする請求項２０記載の通信サービスプロセス衝突を処理する方法。
【請求項２２】
ネットワーク側装置は前記初期非アクセス層プロセスの種類がデタッチプロセスである場合、回線交換ドメイン接続状態のページングプロセスを開始する必要がないと確定する、ことを特徴とする請求項２１記載の通信サービスプロセス衝突を処理する方法。
【請求項２３】
ネットワーク側装置は前記初期非アクセス層プロセスの種類がトラッキングエリア更新プロセス又はサービス要請プロセスである場合、回線交換ドメイン接続状態のページングプロセスを開始する必要があると確定する、ことを特徴とする請求項２１記載の通信サービスプロセス衝突を処理する方法。
【請求項２４】
ネットワーク側装置から送信された第一ページングメッセージを受信する受信ユニットと、
受信ユニットにより受信された第一ページングメッセージが回線交換ドメインのページングメッセージであるかどうか、且つ前記ユーザー設備が丁度初期非アクセス層プロセスを開始しようとしているかどうかを判断する判断ユニットと、
判断ユニットにより、受信ユニットで受信された前記第一ページングメッセージが回線交換ドメインのページングメッセージであり、且つ前記ユーザー設備が丁度初期非アクセス層プロセスを開始しようとしていると判断した場合、前記初期非アクセス層プロセスの種類により、前記第一ページングメッセージに対応するページングプロセスと前記初期非アクセス層プロセスとを処理する方式を確定する確定ユニットと、
確定ユニットで確定された方式により、前記第一ページングメッセージに対応するページングプロセスと前記初期非アクセス層プロセスとを処理する処理ユニットと、
を含むことを特徴とするユーザー設備。
【請求項２５】
ユーザー設備に対して回線交換ドメインのページングメッセージである第一ページングメッセージを送信する送信ユニットと、
前記ユーザー設備から送信された第一ページングメッセージに対応する応答メッセージ、又は前記ユーザー設備により初期非アクセス層プロセスを開始するに対応するメッセージを受信する受信ユニットと、
受信ユニットにより前記ユーザー設備から送信された第一ページングメッセージに対応する応答メッセージを受信した場合、前記第一ページングメッセージに対応するページングプロセスを処理する第一処理ユニットと、
受信ユニットで前記ユーザー設備により初期非アクセス層プロセスを開始するに対応するメッセージを受信した場合、前記ユーザー設備より開始された初期非アクセス層プロセスを処理する第二処理ユニットと
を含むことを特徴とするＥＰＳ移動管理装置。
【請求項２６】
第二処理ユニットにより前記初期非アクセス層プロセスを処理完了後、前記初期非アクセス層プロセスの種類により、回線交換ドメイン接続状態のページングプロセスを開始する必要があるかどうかを判断する判断ユニットと
判断ユニットにより回線交換ドメイン接続状態のページングプロセスを開始する必要があると判断した場合、前記回線交換ドメイン接続状態のページングプロセスを開始し、又、前記ユーザー設備に対して前記開始された回線交換ドメイン接続状態のページングプロセスに対応する第二ページングメッセージを送信するプロセス開始ユニットと
を更に含むことを特徴とする請求項２５記載のＥＰＳ移動管理装置。
【発明の詳細な説明】
【技術分野】
【０００１】
本出願は２００９年０２月１６日に、中国特許局に提出した、出願番号が２００９１００７８０９９．６で、発明名称が「通信サービスプロセス衝突を処理する方法及び関係装置」である中国特許出願願書の優先権を要求し、上記全ての内容は参照することにより本申請に組み込まれている。
【０００２】
本発明は無線通信技術領域に関し、特に通信サービスプロセス衝突を処理する方法、ユーザー設備及びＥＰＳ移動管理装置に関わっている。
【背景技術】
【０００３】
長期進化（ＬＴＥ）移動通信システムにおいて、進化型パケット・システム（ＥＰＳ）移動性管理アイドル（ＥＭＭ−ＩＤＬＥ，ＥＰＳ  Ｍｏｂｉｌｉｔｙ  Ｍａｎａｇｅｍｅｎｔ  ｉｄｌｅ）状態にあるユーザー設備（ＵＥ、Ｕｓｅｒ  Ｅｑｕｉｐｍｅｎｔの略称）は、ネットワーク側へのデータ・シグナリング送信、又は位置更新等の目的を実現するため、ネットワーク側に対して自発的に初期非アクセス層（ＮＡＳ、Ｎｏｎ−Ａｃｃｅｓｓ  Ｓｔｒａｔｕｍの略称）プロセスを開始する。
【０００４】
ＵＥがＥＭＭ−ＩＤＬＥ状態にある際に、アップリンク・パケット交換ドメインに対するユーザーデータ又はシグナリングを送信する必要がある場合、パケット交換（ＰＳ、Ｐａｃｋｅｔ  Ｓｗｉｔｃｈｉｎｇの略称）ドメインに対するサービス要請（Ｓｅｒｖｉｃｅ  Ｒｅｑｕｅｓｔ）プロセスを開始し、当該プロセスはＵＥのＥＭＭ状態をＥＭＭ−ＩＤＬＥ状態からＥＭＭ−ＣＯＮＮＥＣＴＥＤ状態に遷移させ、進化型基地局（ｅＮＢ、Ｅｖｏｌｖｅｄ  ＮｏｄｅＢの略称）と移動性管理実体（ＭＭＥ、Ｍｏｂｉｌｉｔｙ  Ｍａｎａｇｅｍｅｎｔ  Ｅｎｔｉｔｙの略称）間のＳ１ベアラ接続、及びＵＥとｅＮＢ間のエアインターフェースベアラ接続を確立する。上述ＵＥより開始されたＳｅｒｖｉｃｅ  Ｒｅｑｕｅｓｔプロセスは、ネットワーク側のページングメッセージを受信することによりトリガされたものであっても良い。以下の場合、ＵＥはＳｅｒｖｉｃｅ  Ｒｅｑｕｅｓｔプロセスを開始し、ネットワーク側に対してＳＥＲＶＩＣＥ  ＲＥＱＵＥＳＴメッセージを送信する必要がある。
【０００５】
１、ＵＥがＥＭＭ−ＩＤＬＥ状態において、ネットワーク側から送信されたページング（ｐａｇｉｎｇ）要請メッセージを受信する。
２、ＵＥはＥＭＭ−ＩＤＬＥ状態において、アップリンクユーザーデータを送信する必要がある。
３、ＵＥはＥＭＭ−ＩＤＬＥ状態において、ＬＴＥに対するアップリンクシグナリングを送信する必要がある。
４、ＵＥはＥＭＭ−ＩＤＬＥ状態において、ｃｄｍａ２０００システムに対するアップリンクシグナリングを送信する必要がある。
【０００６】
又、ＵＥが以下の場合において、モバイルから発信／モバイルで着信（ＭＯ／ＭＴ、Ｍｏｂｉｌｅ  Ｏｒｉｇｉｎａｔｅｄ／Ｍｏｂｉｌｅ  Ｔｅｒｍｉｎａｔｅｄの略称）による回線交換フォールバック（ＣＳ  ｆａｌｌｂａｃｋ、Ｃｉｒｃｕｉｔ  Ｓｗｉｔｃｈｉｎｇ  ｆａｌｌｂａｃｋの略称）を行う必要がある際も、Ｓｅｒｖｉｃｅ  Ｒｅｑｕｅｓｔプロセスを開始するが、その際にＵＥがネットワーク側に対してＥＸＴＥＮＤＥＤ  ＳＥＲＶＩＣＥ  ＲＥＱＵＥＳＴメッセージを送信する。
【０００７】
１．ＵＥがＥＭＭ−ＩＤＬＥ又はＥＭＭ−ＣＯＮＮＥＣＴＥＤ状態において、ＣＳ  ｆａｌｌｂａｃｋ要請を送信する必要がある。
２．ＵＥがＥＭＭ−ＩＤＬＥ又はＥＭＭ−ＣＯＮＮＥＣＴＥＤ状態において、ネットワーク側から送信されたＣＳ  ｆａｌｌｂａｃｋ要請を受信し、当該ＣＳ  ｆａｌｌｂａｃｋ要請に対応するＣＳ  ｆａｌｌｂａｃｋ応答を送信する必要がある。
【０００８】
上述のＵＥにより送信されたＳＥＲＶＩＣＥ  ＲＥＱＵＥＳＴ・ＥＸＴＥＮＤＥＤ  ＳＥＲＶＩＣＥ  ＲＥＱＵＥＳＴメッセージ以外、アイドル状態のＵＥはトラッキング・エリア・アップデート（ＴＡＵ、ＴＲＡＣＫＩＮＧ  ＡＲＥＡ  ＵＰＤＡＴＥの略称）プロセスに対応するＴＲＡＣＫＩＮＧ  ＡＲＥＡ  ＵＰＤＡＴＥ  ＲＥＱＵＥＳＴメッセージ、デタッチ（ｄｅｔａｃｈ）プロセスに対応するＤＥＴＡＣＨ  ＲＥＱＵＥＳＴメッセージなど他の初期ＮＡＳプロセスに対応するメッセージも送信可能である。
【０００９】
従来の移動通信システムにおけるページングプロセスの処理フローは以下のようである。
ＭＭＥはｅＮＢに送信されるページングメッセージに、ＣＮ  ｄｏｍａｉｎ  ＩＥ識別子により当該ページングメッセージが回線交換（ＣＳ、Ｃｉｒｃｕｉｔ  Ｓｗｉｔｃｈｉｎｇ）ドメインのページングメッセージであるか、パケット交換ドメインのページングメッセージであるかを指示する。ｅＮＢが当該ページングメッセージをＵＥに送信し、ＵＥがページングメッセージにおけるＣＮ  ｄｏｍａｉｎ  ＩＥ識別子により、当該ページングメッセージがＰＳドメインのページングメッセージであると判断できた場合、ＳＥＲＶＩＣＥ  ＲＥＱＵＥＳＴメッセージをＭＭＥに送信し、ＭＭＥがＳＥＲＶＩＣＥ  ＲＥＱＵＥＳＴを受信した後、コンテキスト確立プロセスを開始し、ｅＮＢとＭＭＥ間のＳ１ベアラ接続、及びＵＥとｅＮＢ間のエアインターフェースベアラ接続を確立し、ベアラ接続を確立完了後、ＵＥとネットワーク側は確立されたベアラ接続によりデータを送信できるようになる。ＵＥがページングメッセージに含まれたＣＮ  ｄｏｍａｉｎ  ＩＥ識別子により、当該ページングメッセージがＣＳドメインのページングメッセージであると判断できた場合、ＭＭＥに対してＥＸＴＥＮＤＥＤ  ＳＥＲＶＩＣＥ  ＲＥＱＵＥＳＴメッセージを送信し、ＭＭＥが当該ＥＸＴＥＮＤＥＤ  ＳＥＲＶＩＣＥ  ＲＥＱＵＥＳＴメッセージに含まれた回線交換フォールバック応答ＩＥ（ＣＳＦＢ  ｒｅｓｐｏｎｓｅ  ＩＥ、Ｃｉｒｃｕｉｔ  ｓｗｉｔｃｈｅｄ  ｆａｌｌｂａｃｋ  ｒｅｓｐｏｎｓｅ  ＩＥの略称）識別子により、当該ＥＸＴＥＮＤＥＤ  ＳＥＲＶＩＣＥ  ＲＥＱＵＥＳＴメッセージを送信したＵＥがＣＳドメインのページング要請を受け入れるかどうかを確定し、ＵＥがＣＳの要請を受け入れるとのＣＳＦＢ  ｒｅｓｐｏｎｓｅ  ＩＥ識別子である場合、ＥＭＭ−ＩＤＬＥ状態のＵＥに対してシステムが以下の処理を実行する。
【００１０】
１．ＭＭＥがコンテキスト確立プロセスを開始し、ｅＮＢとＭＭＥ間のＳ１ベアラ接続、及びＵＥとｅＮＢ間のエアインターフェースベアラ接続を確立し、ｅＮＢに回線交換フォールバック（ＣＳＦＢ）プロセスを実行するように指示する。
【００１１】
２．ｅＮＢがＭＭＥの指示によりＰＳハンドオーバ（ＰＳ  Ｈａｎｄｏｖｅｒ）を開始し、ＵＥをシステムアーキテクチャ進化（ＳＡＥ、Ｓｙｓｔｅｍ  Ａｒｃｈｉｔｅｃｔｕｒｅ  Ｅｖｏｌｕｔｉｏｎの略称）システムからＣＳサービスがある無線アクセスネットワーク  （ＧＥＲＡＮ、ＧＳＭ／ＥＤＧＥ  Ｒａｄｉｏ  Ａｃｃｅｓｓ  Ｎｅｔｗｏｒｋ、ＧＳＭ／ＥＤＧＥの略称）  システム又はユニバーサル地上無線アクセスネットワーク（ＵＴＲＡＮ、Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋの略称）システムに遷移し、或いはｅＮＢがＭＭＥの指示により、ネットワーク補助セル再選（ＮＡＣＣ、Ｎｅｔｗｏｒｋ  Ａｓｓｉｓｔｅｄ  Ｃｅｌｌ  Ｃｈａｎｇｅの略称）プロセスを実行し、
ＥＭＭ−ＣＯＮＮＥＣＴＥＤ状態のＵＥに対して、システムは上述ステップの第２のステップ、即ち、ＰＳハンドオーバを開始すること又はＮＡＣＣプロセスのみを実行すれば良い。
【００１２】
ＵＥがＣＳの要請を拒否するＣＳＦＢ  ｒｅｓｐｏｎｓｅ  ＩＥ識別子である場合、ＭＭＥが自身と滞在位置レジスタ（ＶＬＲ、Ｖｉｓｉｔｅｄ  Ｌｏｃａｔｉｏｎ  Ｒｅｇｉｓｔｅｒの略称）間のＳＧｓインターフェースにより、移動通信交換中心（ＭＳＣ、Ｍｏｂｉｌｅ  Ｓｗｉｔｃｈｉｎｇ  Ｃｅｎｔｒｅの略称）に対してＳＧｓＡＰ−ＰＡＧＩＮＧ−ＲＥＪＥＣＴメッセージを送信し、ＶＬＲはＵＥビジー（ＵＤＵＢ  Ｕｓｅｒ  ｄｅｔｅｒｍｉｎｅｄ  ＵＥ  ｂｕｓｙ）プロセスをトリガーする。
【００１３】
しかし、ＵＥがＣＳドメインのページングメッセージである指示を受信した時点で、自身が丁度ＥＭＭプロセス又はＳｅｒｖｉｃｅ  Ｒｅｑｕｅｓｔプロセスを開始しようとしている場合、従来のプロトコルにはこの時ＵＥがどのように処理すべきかまだ記述されていない。そのため、ＵＥがＣＳドメインのページングメッセージを受信することと、自身が自発的にＮＡＳプロセス（ＥＭＭプロセスとＳｅｒｖｉｃｅ  Ｒｅｑｕｅｓｔプロセスを含む）を開始することとが衝突する際の処理方法が必要になる。
【発明の概要】
【発明が解決しようとする課題】
【００１４】
本発明の実施形態は、ＵＥがＣＳドメインのページングメッセージを受信する時、自身の自発的にＮＡＳプロセスを開始することと衝突する問題を解決できる通信サービスプロセス衝突を処理する方法を提供することである。
【００１５】
本発明は又、当該方法に対応するユーザー設備とＥＰＳ移動管理装置を提供する。
【課題を解決するための手段】
【００１６】
本発明の実施形態に係る解決策は以下に記述する。
【００１７】
ユーザー設備がネットワーク側装置から送信された第一ページングメッセージを受信することと、前記第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始することと、を含む通信サービスプロセス衝突を処理する方法。
【００１８】
ネットワーク側装置がユーザー設備に対して回線交換ドメインのページングメッセージである第一ページングメッセージを送信することと、前記ユーザー設備により初期非アクセス層プロセスを開始する時に対応するメッセージを受信し、前記ユーザー設備は受信された第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始することと、ネットワーク側装置は受信されたメッセージにより、前記ユーザー設備より開始された初期非アクセス層プロセスを処理することと、を含む通信サービスプロセス衝突を処理する方法。
【００１９】
ネットワーク側装置から送信された第一ページングメッセージを受信する第一受信ユニットと、第一受信ユニットにより受信された第一ページングメッセージが回線交換ドメインのページングメッセージであるかどうか、且つ前記ユーザー設備が丁度初期非アクセス層プロセスを開始しようとしているかどうかを判断する判断ユニットと、判断ユニットにより前記第一ページングメッセージが回線交換ドメインのページングメッセージであり、且つ前記ユーザー設備が丁度初期非アクセス層プロセスを開始しようとしていると判断した場合、前記第一ページングメッセージを無視し、前記初期非アクセス層プロセスを開始する第一処理ユニットとを含むユーザー設備。
【００２０】
ユーザー設備に対して回線交換ドメインのページングメッセージである第一ページングメッセージを送信する送信ユニットと、前記ユーザー設備により初期非アクセス層プロセスを開始する時に対応するメッセージを受信し、前記ユーザー設備は、受信された第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始する受信ユニットと、受信ユニットで受信されたメッセージにより、前記ユーザー設備より開始された初期非アクセス層プロセスを処理する処理ユニットと、を含むＥＰＳ移動管理装置。
【００２１】
ユーザー設備がネットワーク側装置から送信された第一ページングメッセージを受信し、前記第一ページングメッセージが回線交換ドメインのページングメッセージであり、且つ自身が丁度初期非アクセス層プロセスを開始しようとしていると判断した場合、前記初期非アクセス層プロセスの種類により、前記第一ページングメッセージに対応するページングプロセスと前記初期非アクセス層プロセスとを処理する方式を確定することと、確定された方式により、前記第一ページングメッセージに対応するページングプロセスと前記初期非アクセス層プロセスとを処理することと、を含む通信サービスプロセス衝突を処理する方法。
【００２２】
ネットワーク側装置がユーザー設備に対して回線交換ドメインのページングメッセージである第一ページングメッセージを送信することと、前記ユーザー設備から送信された第一ページングメッセージに対応する応答メッセージを受信した場合、前記第一ページングメッセージに対応するページングプロセスを処理し、又、前記ユーザー設備により初期非アクセス層プロセスを開始する時に対応するメッセージを受信した場合、前記ユーザー設備より開始された初期非アクセス層プロセスを処理することと、を含む通信サービスプロセス衝突を処理する方法。
【００２３】
ネットワーク側装置から送信された第一ページングメッセージを受信する受信ユニットと、受信ユニットで受信された第一ページングメッセージが回線交換ドメインのページングメッセージであるかどうか、且つ前記ユーザー設備が丁度初期非アクセス層プロセスを開始しようとしているかどうかを判断する判断ユニットと、判断ユニットにより、受信ユニットで受信された前記第一ページングメッセージが回線交換ドメインのページングメッセージであり、且つ前記ユーザー設備が丁度初期非アクセス層プロセスを開始しようとしていると判断した場合、前記初期非アクセス層プロセスの種類により、前記第一ページングメッセージに対応するページングプロセスと前記初期非アクセス層プロセスとを処理する方式を確定する確定ユニットと、確定ユニットで確定された方式により、前記第一ページングメッセージに対応するページングプロセスと前記初期非アクセス層プロセスとを処理する処理ユニットと、を含むユーザー設備。
【００２４】
ユーザー設備に対して回線交換ドメインのページングメッセージである第一ページングメッセージを送信する送信ユニットと、前記ユーザー設備から送信された第一ページングメッセージに対応する応答メッセージ又は前記ユーザー設備により初期非アクセス層プロセスを開始するに対応するメッセージを受信する受信ユニットと、受信ユニットにより前記ユーザー設備から送信された第一ページングメッセージに対応する応答メッセージを受信した場合、前記第一ページングメッセージに対応するページングプロセスを処理する第一処理ユニットと、受信ユニットで前記ユーザー設備により初期非アクセス層プロセスを開始するに対応するメッセージを受信した場合、前記ユーザー設備より開始された初期非アクセス層プロセスを処理する第二処理ユニットと、を含むＥＰＳ移動管理装置。
【００２５】
本発明に係る実施形態は、ＵＥがＣＳドメインのページングメッセージに対応するページングプロセスと、自身が丁度自発的に開始しようとしているＮＡＳプロセスとを処理するに衝突が産生する従来技術の問題点に対して、実現可能な解決策を提供する。
【図面の簡単な説明】
【００２６】
【図１】本発明の実施形態における第一の解決策の実施フローを示す図である。
【図２】本発明の実施形態における第二の解決策の実施フローを示す図である。
【図３】本発明の実施形態に係る第一のユーザー設備の構造を示す図である。
【図４】本発明の実施形態に係る第二のユーザー設備の構造を示す図である。
【図５】本発明の実施形態に係る第一のＥＰＳ移動管理装置の構造を示す図である。
【図６】本発明の実施形態に係る第二のＥＰＳ移動管理装置の構造を示す図である。
【図７】本発明の実施形態に係る第三のユーザー設備の構造を示す図である。
【図８】本発明の実施形態に係る第三のＥＰＳ移動管理装置の構造を示す図である。
【図９】本発明の実施形態に係る第四のＥＰＳ移動管理装置の構造を示す図である。
【発明を実施するための形態】
【００２７】
ＵＥが、ＣＳドメインのページングメッセージである指示を受信する同時に、自身において丁度自発的に開始しようとする初期ＮＡＳプロセスがその実行を待ちいている場合、当該ページングメッセージによるページングプロセスを処理することと自身で自発的に開始する初期ＮＡＳプロセスとが衝突してしまう問題がある。上述の問題点に対して、本発明に係る実施形態は２種の解決策を提出して、上記の衝突問題が発生する場合、具体的な状況により、その中の１プロセスを選択して処理し、又詳細な実施フローを提出して上述衝突問題を回避できるために解決策を提供した。
【００２８】
以下は附図に関連して本発明の実施形態における解決策の主な実施原理・具体的な実施方式及びそれによる有益な効果について詳細に説明する。通常、ＵＥはネットワーク側装置と連携して各種の通信サービスプロセスを処理するが、本発明の実施形態において、ＥＰＳ移動管理装置を例として説明する。
【００２９】
第一の実施形態
図１は、本発明の第一の実施形態を実現するフローを示す図であり、これを参照しよう。
【００３０】
ステップ１０１：ＵＥがＭＭＥから送信された、ＭＭＥから開始されたＣＳドメインのページングプロセスに対応するページングメッセージを受信する。
【００３１】
ステップ１０２：ＵＥはステップ１０１により当該ページングメッセージを受信された時点で衝突の発生条件を満足するかどうか、即ち、ＵＥがＣＳドメインのページングメッセージである指示を受信された同時に、自身が丁度自発的に初期ＮＡＳプロセスを開始しようとしているかどうかを判断する。
【００３２】
ステップ１０３：ステップ１０２において衝突の発生条件を満足すると判断できた場合、即ち、ＵＥがＣＳドメインのページングメッセージである指示を受信された時点で、自身が丁度初期ＮＡＳプロセスを開始しようとしているとする場合、ＵＥが当該ページングメッセージを無視し、初期ＮＡＳプロセスを開始する。
【００３３】
上述ステップを実行後、ページングメッセージに対応するページングプロセスと自身が自発的に開始する初期ＮＡＳプロセスとを同時に処理する際の衝突問題を解決できるようになり、ステップ１０３の後、ステップ１０４を実行しても良い。
【００３４】
ステップ１０４：ステップ１０３において、ＭＭＥがＵＥから開始された初期ＮＡＳプロセスを処理完了後、ＣＳドメインの接続状態のページングプロセスを再開できる。
【００３５】
以下は、ＵＥが自発的に開始する初期ＮＡＳプロセスの具体的な種別により、上述した処理フローについて詳しく記述する。
【００３６】
ＵＥがＣＳドメインのページングメッセージを受信した時点で自身が丁度自発的にｄｅｔａｃｈプロセスを開始しようにすると、例えば当該ｄｅｔａｃｈプロセスに対応するＤＥＴＡＣＨ  ＲＥＱＵＥＳＴメッセージを送信しようとしている場合、ＵＥは受信されたＣＳドメインのページングメッセージを無視し、当該ｄｅｔａｃｈプロセスを開始し、ＭＭＥに対してＤＥＴＡＣＨ  ＲＥＱＵＥＳＴメッセージ等を送信する。ＭＭＥがＤＥＴＡＣＨ  ＲＥＱＵＥＳＴメッセージを受信した後、ＮＡＳプロセスの種別がｄｅｔａｃｈプロセスであることから、ｄｅｔａｃｈプロセスを完了した後ページングプロセスを再開して対応するｄｅｔａｃｈプロセスを処理する必要がないと判断する。
【００３７】
ＵＥがＣＳドメインのページングメッセージを受信した時点で自身が丁度自発的にＳｅｒｖｉｃｅ  Ｒｅｑｕｅｓｔプロセスを開始しようにすると、例えば、Ｓｅｒｖｉｃｅ  Ｒｅｑｕｅｓｔプロセスに対応するＳＥＲＶＩＣＥ  ＲＥＱＵＥＳＴメッセージを送信しようとしている場合、ＵＥが受信されたページングメッセージを無視し、ページングメッセージに対応するページングプロセスを実行せず、Ｓｅｒｖｉｃｅ  Ｒｅｑｕｅｓｔプロセスを開始し、例えば、ＳＥＲＶＩＣＥ  ＲＥＱＵＥＳＴメッセージ等を送信する。ＭＭＥがＵＥから送信されたＳＥＲＶＩＣＥ  ＲＥＱＵＥＳＴメッセージを受信後、当該ＵＥのページングプロセスに対する関連処理を停止し、ＮＡＳプロセスの種類がＴＡＵプロセスであることから、ＴＡＵプロセスの完成後でページングプロセスを再開し、受信されたＳＥＲＶＩＣＥ  ＲＥＱＵＥＳＴメッセージに対応するＳｅｒｖｉｃｅ  Ｒｅｑｕｅｓｔプロセスを処理する必要があると判断できる。ＵＥより開始されたＳｅｒｖｉｃｅ  Ｒｅｑｕｅｓｔプロセスの処理を完成した後で、Ｓｅｒｖｉｃｅ  Ｒｅｑｕｅｓｔプロセスを実行時にｅＮＢとＭＭＥ間のＳ１ベアラ接続、及びＵＥとｅＮＢ間のエアインターフェースベアラ接続が既に確立されたため、この時ＭＭＥはＣＳドメインの接続状態であると指示するページングプロセスを再開し、当該ページングプロセスに対応するページングメッセージを送信することができる。
【００３８】
ＵＥがＣＳドメインのページングメッセージである指示を受信した同時に自身が丁度自発的にＴＡＵプロセスを開始しようと、例えば、ＴＡＵプロセスに対応するＴＲＡＣＫＩＮＧ  ＡＲＥＡ  ＵＰＤＡＴＥ  ＲＥＱＵＥＳＴメッセージを送信しようとしている場合、ＵＥはこの時受信されたページングメッセージを無視し、ＴＡＵプロセスを開始し、ＴＲＡＣＫＩＮＧ  ＡＲＥＡ  ＵＰＤＡＴＥ  ＲＥＱＵＥＳＴメッセージ等を送信する。ＭＭＥがＵＥから送信されたＴＲＡＣＫＩＮＧ  ＡＲＥＡ  ＵＰＤＡＴＥ  ＲＥＱＵＥＳＴメッセージを受信した後、当該ＵＥのページングプロセスに対する関連処理を停止し、ＮＡＳプロセスの種類がＴＡＵプロセスであることから、ＴＡＵプロセスを完成後ページングプロセスを再開し、受信されたＴＲＡＣＫＩＮＧ  ＡＲＥＡ  ＵＰＤＡＴＥ  ＲＥＱＵＥＳＴメッセージに対応するＴＡＵプロセスを処理する必要があると判断でき、又、ＴＡＵプロセスに対応するＮＡＳシグナリング接続を釈放する前にベアラ接続を確立するプロセスを開始し、ｅＮＢとＭＭＥ間のＳ１ベアラ接続、及びＵＥとｅＮＢ間のエアインターフェースベアラ接続を確立し、ＴＡＵプロセスの処理を完了した後、ＭＭＥがＣＳドメインの接続状態のページングプロセスを開始し、当該ページングプロセスに対応するページングメッセージを送信する。
【００３９】
ＵＥが自発的に開始する初期ＮＡＳプロセスへの実行を完了した後、ＭＭＥがＣＳドメイン接続状態のページングプロセスを再開するかどうかは、当該実行を完了したＮＡＳプロセスの種別により確定できる。
【００４０】
第二の実施形態
図２は、本発明の第二の実施形態を実現するフローを示す図であり、これを参照しよう。
【００４１】
ステップ２０１：ＵＥはＭＭＥがページングプロセスを開始した際に送信されたＣＳドメインのページングメッセージを受信し、
ステップ２０２：ＵＥはステップ２０１においてページングメッセージを受信した時点で、衝突の発生条件を満足するかどうか、即ち、ＵＥがＣＳドメインのページングメッセージを受信した同時に自身が丁度自発的に初期ＮＡＳプロセスを開始しようとしているかどうかを判断し、
ステップ２０３：ステップ２０２において衝突発生の条件を満足し、即ち、ＵＥがＣＳドメインのページングメッセージを受信した時点で自身が丁度自発的に初期ＮＡＳプロセスを開始しようとしていると判断した場合、ＵＥは自発的に開始する初期ＮＡＳプロセスの種類により、ページングメッセージに対応するページングプロセスと自身で開始するＮＡＳプロセスを処理する方式を確定し、
ステップ２０４：ＵＥはステップ２０３により確定された方式によって、ページングメッセージに対応するページングプロセスと自身で開始するＮＡＳプロセスとを処理する。
【００４２】
以下は、ＵＥが自発的に開始する初期ＮＡＳプロセスの具体的な種類により、上述処理フローについて詳しく記述する。
【００４３】
ＵＥがＣＳドメインのページングメッセージを受信した時点で自身が丁度自発的にｄｅｔａｃｈプロセスを開始しようにすると、例えば、ｄｅｔａｃｈプロセスに対応するＤＥＴＡＣＨ  ＲＥＱＵＥＳＴメッセージを送信しようとしている場合、ＵＥは受信されたページングメッセージを無視し、ページングメッセージに対応するページングプロセスを実行せず、ｄｅｔａｃｈプロセスを開始し、ｄｅｔａｃｈプロセスに対応するＤＥＴＡＣＨ  ＲＥＱＵＥＳＴメッセージを送信し、ＭＭＥがＤＥＴＡＣＨ  ＲＥＱＵＥＳＴメッセージを受信した後、対応するｄｅｔａｃｈプロセスを処理し、又、ＮＡＳプロセスの種類がｄｅｔａｃｈプロセスであることから、ｄｅｔａｃｈプロセスの完了後にページングプロセスを再開する必要がないと判断できる。
【００４４】
ＵＥがＣＳドメインのページングメッセージを受信した時点で自身が丁度自発的にＴＡＵプロセスを開始しようとしている場合、ＵＥは受信されたページングメッセージを無視し、ページングメッセージに対応するページングプロセスを実行せず、「ａｃｔｉｖｅ」ｆｌａｇ識別子を付いたＴＡＵプロセスを開始し、ＭＭＥに対してＴＡＵプロセスに対応する「ａｃｔｉｖｅ」ｆｌａｇ識別子を付いたＴＲＡＣＫＩＮＧ  ＡＲＥＡ  ＵＰＤＡＴＥ  ＲＥＱＵＥＳＴメッセージを送信する。ここで、ページングメッセージに対応するページングプロセスはサービス要請プロセス（ｓｅｒｖｉｃｅ  ｒｅｑｕｅｓｔ  ｐｒｏｃｅｄｕｒｅ）等を含む。ＭＭＥがＵＥから送信されたＴＲＡＣＫＩＮＧ  ＡＲＥＡ  ＵＰＤＡＴＥ  ＲＥＱＵＥＳＴメッセージを受信した後、当該ＵＥに対応するページングプロセスを停止し、ＮＡＳプロセスの種類がＴＡＵプロセスであることから、ＴＡＵプロセスの完了後でページングプロセスを再開し、対応するＴＡＵプロセスを処理する必要があると判断でき、当該ＴＡＵプロセスの処理を完了した後で、「ａｃｔｉｖｅ」ｆｌａｇ識別子を付いたＴＡＵプロセスを処理時にｅＮＢとＭＭＥ間のＳ１ベアラ接続、及びＵＥとｅＮＢ間のエアインターフェースベアラ接続が既に確立されたため、ＭＭＥはＣＳドメインの接続状態であると指示するページングプロセスを開始し、当該ページングプロセスに対応するページングメッセージを送信することができる。
【００４５】
ＵＥがＣＳドメインのページングメッセージを受信した時点で自身が丁度自発的にＳｅｒｖｉｃｅ  Ｒｅｑｕｅｓｔプロセスを開始しようとしている場合、ＵＥは先ず、自身が当該ページングメッセージに対応するページング要請を受け入れるかどうかを判断し、受け入れる場合、開始しようとしているＳｅｒｖｉｃｅ  Ｒｅｑｕｅｓｔプロセスをキャンセルし、ページングプロセスを処理し、ＭＭＥに対してＥＸＴＥＮＤＥＤ  ＳＥＲＶＩＣＥ  ＲＥＱＵＥＳＴメッセージを送信し、ＭＭＥがＥＸＴＥＮＤＥＤ  ＳＥＲＶＩＣＥ  ＲＥＱＵＥＳＴメッセージを受信した後、ＣＳＦＢプロセスを実行する。
ＵＥがページング要請を拒否する場合、ページングプロセスを再び処理せず、Ｓｅｒｖｉｃｅ  Ｒｅｑｕｅｓｔプロセスを開始し、ＭＭＥに対してＳＥＲＶＩＣＥ  ＲＥＱＵＥＳＴメッセージを送信し、ＭＭＥがＳＥＲＶＩＣＥ  ＲＥＱＵＥＳＴメッセージを受信した後、当該ＵＥへのページングプロセスを停止し、又、ＮＡＳプロセスの種類がＳｅｒｖｉｃｅ  Ｒｅｑｕｅｓｔプロセスであることから、Ｓｅｒｖｉｃｅ  Ｒｅｑｕｅｓｔプロセスの完了後ページングプロセスを再開し、受信されたＳＥＲＶＩＣＥ  ＲＥＱＵＥＳＴメッセージに対応するＳｅｒｖｉｃｅ  Ｒｅｑｕｅｓｔプロセスを処理する必要があると判断する。ＵＥより開始されたＳｅｒｖｉｃｅ  Ｒｅｑｕｅｓｔプロセスの処理を完了した後で、Ｓｅｒｖｉｃｅ  Ｒｅｑｕｅｓｔプロセスを処理時にｅＮＢとＭＭＥ間のＳ１ベアラ接続、及びＵＥとｅＮＢ間のエアインターフェースベアラ接続が既に確立されたため、ＭＭＥはＣＳドメインの接続状態のページングプロセスを再開し、当該ページングプロセスに対応するページングメッセージを送信することができる。
【００４６】
上記の実施形態において、ＵＥがＣＳドメインのページングメッセージを受信した場合、当該ページングメッセージに対応するページングプロセスより優先して処理するのはｄｅｔａｃｈプロセスとＴＡＵプロセスを開始することである。実際の応用において、ＵＥがＣＳドメインのページングメッセージを受信した時、当該ページングメッセージに対応するページングプロセスより優先して処理する、自身で自発的に開始する初期ＮＡＳプロセスの具体的な種類は、予め指定される。
【００４７】
本発明に係る実施形態は二種の解決策を提出し、ＵＥが、受信されたＣＳドメインのページングメッセージに対応するページングプロセスと自身が自発的に開始するＮＡＳプロセスとの処理に衝突があると判断する場合、具体的な状況により、その中の１プロセスを選択して実行し、当該プロセスへの実行の完了後、継続してもう一つのプロセスを実行することができる。又、具体的なＮＡＳプロセスの種類によって、詳細な実施案を提供して、ＵＥがＣＳドメインのページングメッセージに対応するページングプロセスと自身が自発的に開始するＮＡＳプロセスを処理するによる衝突の従来技術の問題点を解決した。
【００４８】
図３を参照すると、本発明は第一の実施形態に係る方法に対応して一種のユーザー設備を提供し、
ＥＰＳ移動管理装置から送信された第一ページングメッセージを受信するための第一受信ユニット３０１と、
第一受信ユニット３０１の受信された第一ページングメッセージが回線交換ドメインのページングメッセージであるかどうか、且つ前記ユーザー設備が丁度初期非アクセス層プロセスを開始しようとしているかどうかを判断するための判断ユニット３０２と、
断ユニット３０２により、前記第一ページングメッセージが回線交換ドメインのページングメッセージであり、且つ前記ユーザー設備が丁度初期非アクセス層プロセスを開始しようとしていると判断した場合、前記第一ページングメッセージを無視し、前記初期非アクセス層プロセスを開始する第一処理ユニット３０３と
を含む。
【００４９】
好ましくは、図４に示したように、上述ユーザー設備は更に、
第二ページングメッセージを受信し、前記第二ページングメッセージは、前記ＥＰＳ移動管理装置がその自身が有るユーザー設備により開始された初期非アクセス層プロセスの処理を完了した後、前記初期非アクセス層プロセスの種類により、回線交換ドメイン接続状態のページングプロセスを開始する必要があると確定した場合に、開始した回線交換ドメイン接続状態のページングプロセスに対応するメッセージである第二受信ユニット４０１と、
第二受信ユニット４０１で受信された前記第二ページングメッセージにより、前記ＥＰＳ移動管理装置の開始した回線交換ドメイン接続状態のページングプロセスを処理する第二処理ユニット４０２と、
を含んでも良い。
【００５０】
図５を参照すると、本発明は第一の実施形態に係る方法に対応して一種のＥＰＳ移動管理装置を提供し、
ユーザー設備に対して回線交換ドメインのページングメッセージである第一ページングメッセージを送信する送信ユニット５０１と、
前記ユーザー設備により初期非アクセス層プロセスを開始する際に対応するメッセージを受信し、前記ユーザー設備は、受信された第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始する受信ユニット５０２と、
受信ユニット５０２で受信されたメッセージにより、前記ユーザー設備が開始した初期非アクセス層プロセスを処理する処理ユニット５０３と
を含む。
【００５１】
好ましくは、図６に示すように、上述ＥＰＳ移動管理装置は更に、
図５における処理ユニット５０３により前記初期非アクセス層プロセスの処理を完了した後、前記初期非アクセス層プロセスの種類により、回線交換ドメインの接続状態のページングプロセスを開始する必要があるかどうかを確定する確定ユニット６０１と、
確定ユニット６０１により回線交換ドメイン接続状態におけるページングプロセスを開始する必要があると確定した場合、前記回線交換ドメイン接続状態のページングプロセスを開始し、又、前記ユーザー設備に対して前記開始された回線交換ドメイン接続状態のページングプロセスに対応する第二ページングメッセージを送信するプロセス開始ユニット６０２と、
を含んでも良い。
【００５２】
上述ユーザー設備とＥＰＳ移動管理装置は協力して、ＵＥがＣＳドメインのページングメッセージを受信した時の、自身の自発的に開始するＮＡＳプロセスと衝突する問題点を解決する。
【００５３】
図７を参照すると、本発明は第二の実施形態に係る方法に対応してもう一種のユーザー設備を提供し、
ＥＰＳ移動管理装置から送信された第一ページングメッセージを受信するための受信ユニット７０１と、
受信ユニット７０１により受信された第一ページングメッセージが回線交換ドメインのページングメッセージであるかどうか、且つ前記ユーザー設備が丁度初期非アクセス層プロセスを開始しようとしているかどうかを判断するための判断ユニット７０２と、
判断ユニット７０２により、受信ユニット７０１で受信された前記第一ページングメッセージが回線交換ドメインのページングメッセージであり、且つ前記ユーザー設備が丁度初期非アクセス層プロセスを開始しようとしていると判断した場合、前記初期非アクセス層プロセスの種類により、前記第一ページングメッセージに対応するページングプロセスと前記初期非アクセス層プロセスを処理する方式を確定するための確定ユニット７０３と、
確定ユニット７０３で確定された方式により、前記第一ページングメッセージに対応するページングプロセスと前記初期非アクセス層プロセスとを処理するための処理ユニット７０４と
を含む。
【００５４】
図８を参照すると、本発明は第二の実施形態に係る方法に対応してＥＰＳ移動管理装置を提供し、
ユーザー設備に対して回線交換ドメインのページングメッセージである第一ページングメッセージを送信する送信ユニット８０１と、
前記ユーザー設備から送信された第一ページングメッセージに対応する応答メッセージ、又は前記ユーザー設備より開始された初期非アクセス層プロセスに対応するメッセージを受信する受信ユニット８０２と
受信ユニット８０２により前記ユーザー設備から送信された第一ページングメッセージに対応する応答メッセージを受信した時、前記第一ページングメッセージに対応するページングプロセスを処理する第一処理ユニット８０３と、
受信ユニット８０２により前記ユーザー設備の開始された初期非アクセス層プロセスに対応するメッセージを受信した時、前記ユーザー設備の開始した初期非アクセス層プロセスを処理する第二処理ユニット８０４と、
を含む。
【００５５】
好ましくは、図９に示すように、上述ＥＰＳ移動管理装置は更に、
図８における第二処理ユニット８０４により、前記初期非アクセス層プロセスの処理を完了した後、前記初期非アクセス層プロセスの種類により、回線交換ドメイン接続状態のページングプロセスを開始する必要があるかどうかを判断する判断ユニット９０１と、
判断ユニット９０１により回線交換ドメイン接続状態のページングプロセスを開始する必要があると判断した場合、前記回線交換ドメイン接続状態のページングプロセスを開始し、又、前記ユーザー設備に対して、前記開始された回線交換ドメイン接続状態のページングプロセスに対応する第二ページングメッセージを送信するプロセス開始ユニット９０２と
を含む。
【００５６】
上述ユーザー設備はＥＰＳ移動管理装置と協力して、ＵＥがＣＳドメインのページングメッセージを受信した時の、自身の自発的に開始するＮＡＳプロセスと衝突する問題点を解決する。
【００５７】
当業者にとっては、本発明の要旨と範囲を逸脱しなくて本発明に対して各種の変更と変形ができることは当然である。このようにして、もし本発明の当該変更と変形が本発明の請求の範囲及びその等価技術の範囲内に属する場合、本発明はこのような変更と変形も含むことを図っている。
【図１】
2012518296.tif 000003
【図２】
2012518296.tif 000004
【図３】
2012518296.tif 000005
【図４】
2012518296.tif 000006
【図５】
2012518296.tif 000007
【図６】
2012518296.tif 000008
【図７】
2012518296.tif 000009
【図８】
2012518296.tif 000010
【図９】
2012518296.tif 000011
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
ユーザー設備がネットワーク側装置から送信された第一ページングメッセージを受信することと、
前記第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始することと、
を含むことを特徴とする通信サービスプロセス衝突を処理する方法。
【請求項２】
前記ユーザー設備が第二ページングメッセージを受信し、前記第二ページングメッセージは、前記ネットワーク側装置が前記ユーザー設備により開始された初期非アクセス層プロセスを処理完了後、前記初期非アクセス層プロセスの種類により、回線交換ドメイン接続状態のページングプロセスを開始する必要があると確定した際に開始された回線交換ドメイン接続状態のページングプロセスに対応するメッセージであることと、
受信された前記第二ページングメッセージにより、前記ネットワーク側装置から開始された回線交換ドメイン接続状態のページングプロセスを処理することと、
を更に含むことを特徴とする請求項1記載の通信サービスプロセス衝突を処理する方法。
【請求項３】
前記ユーザー設備により開始された初期非アクセス層プロセスはＥＰＳ移動性管理プロセス又はサービス要請プロセスであり、
前記ＥＰＳ移動性管理プロセスはデタッチプロセス又はトラッキングエリア更新プロセスである、ことを特徴とする請求項１記載の通信サービスプロセス衝突を処理する方法。
【請求項４】
ネットワーク側装置がユーザー設備に対して回線交換ドメインのページングメッセージである第一ページングメッセージを送信することと、
前記ユーザー設備により初期非アクセス層プロセスを開始する時に対応するメッセージを受信し、前記ユーザー設備は、受信された第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始することと、
ネットワーク側装置は受信されたメッセージにより、前記ユーザー設備より開始された初期非アクセス層プロセスを処理することと
を含むことを特徴とする通信サービスプロセス衝突を処理する方法。
【請求項５】
ネットワーク側装置は前記初期非アクセス層プロセスの種類により、前記初期非アクセス層プロセスを処理完了後、回線交換ドメイン接続状態のページングプロセスを開始する必要があるかどうかを確定することと、
回線交換ドメイン接続状態のページングプロセスを開始する必要があると確定した場合、前記回線交換ドメイン接続状態のページングプロセスを開始することと、
前記ユーザー設備に対して、前記開始された回線交換ドメイン接続状態のページングプロセスに対応する第二ページングメッセージを送信することと
を更に含むことを特徴とする請求項４記載の通信サービスプロセス衝突を処理する方法。
【請求項６】
ネットワーク側装置は、前記初期非アクセス層プロセスの種類がデタッチプロセスである場合、回線交換ドメイン接続状態のページングプロセスを開始する必要がないと確定し、又は、
ネットワーク側装置は、前記初期非アクセス層プロセスの種類がトラッキングエリア更新プロセス又はサービス要請プロセスである場合、回線交換ドメイン接続状態のページングプロセスを開始する必要があると確定する、ことを特徴とする請求項５記載の通信サービスプロセス衝突を処理する方法。
【請求項７】
ネットワーク側装置から送信された第一ページングメッセージを受信する第一受信ユニットと、
第一受信ユニットにより受信された第一ページングメッセージが回線交換ドメインのページングメッセージであるかどうか、且つ前記ユーザー設備が丁度初期非アクセス層プロセスを開始しようとしているかどうかを判断する判断ユニットと、
判断ユニットにより前記第一ページングメッセージが回線交換ドメインのページングメッセージであり、且つ前記ユーザー設備が丁度初期非アクセス層プロセスを開始しようとしていると判断した場合、前記第一ページングメッセージを無視し、前記初期非アクセス層プロセスを開始する第一処理ユニットと
を含むことを特徴とするユーザー設備。
【請求項８】
第二ページングメッセージを受信し、前記第二ページングメッセージは前記ネットワーク側装置が前記ユーザー設備により開始された初期非アクセス層プロセスを処理完了後、前記初期非アクセス層プロセスの種類により、回線交換ドメイン接続状態のページングプロセスを開始する必要があると確定した際に開始された回線交換ドメイン接続状態のページングプロセスに対応するメッセージである第二受信ユニットと、
第二受信ユニットで受信された前記第二ページングメッセージにより、前記ネットワーク側装置から開始された回線交換ドメイン接続状態のページングプロセスを処理する第二処理ユニットと
を更に含むことを特徴とする請求項７記載のユーザー設備。
【請求項９】
ユーザー設備に対して回線交換ドメインのページングメッセージである第一ページングメッセージを送信する送信ユニットと、
前記ユーザー設備により初期非アクセス層プロセスを開始する時に対応するメッセージを受信し、前記ユーザー設備が、受信された第一ページングメッセージが回線交換ドメインのページングメッセージであり、且つ自身が丁度初期非アクセス層プロセスを開始しようとしていると判断した場合、前記第一ページングメッセージを無視し、前記初期非アクセス層プロセスを開始する受信ユニットと、
受信ユニットで受信されたメッセージにより、前記ユーザー設備より開始された初期非アクセス層プロセスを処理する処理ユニットと、
を含むことを特徴とするＥＰＳ移動管理装置。
【請求項１０】
処理ユニットにより前記初期非アクセス層プロセスを処理完了後、前記初期非アクセス層プロセスの種類により、回線交換ドメイン接続状態のページングプロセスを開始する必要があるかどうかを確定する確定ユニットと、
確定ユニットにより回線交換ドメイン接続状態のページングプロセスを開始する必要があると確定した場合、前記回線交換ドメイン接続状態のページングプロセスを開始し、又、前記ユーザー設備に対して、前記開始された回線交換ドメイン接続状態のページングプロセスに対応する第二ページングメッセージを送信するプロセス開始ユニットと
を更に含むことを特徴とする請求項９記載のＥＰＳ移動管理装置。
【請求項１１】
ユーザー設備がネットワーク側装置から送信された第一ページングメッセージを受信することと、
前記第一ページングメッセージが回線交換ドメインのページングメッセージであり、且つ自身が丁度初期非アクセス層プロセスを開始しようとしていると判断した場合、前記初期非アクセス層プロセスの種類により、前記第一ページングメッセージに対応するページングプロセスと前記初期非アクセス層プロセスとを処理する方式を確定することと、
確定された方式により、前記第一ページングメッセージに対応するページングプロセスと前記初期非アクセス層プロセスとを処理することと、
を含むことを特徴とする通信サービスプロセス衝突を処理する方法。
【請求項１２】
ユーザー設備は前記初期非アクセス層プロセスの種類がデタッチプロセスである場合に、確定した方式は前記第一ページングメッセージに対応するページングプロセスを無視し、前記デタッチプロセスを開始することである、ことを特徴とする請求項１１記載の通信サービスプロセス衝突を処理する方法。
【請求項１３】
ユーザー設備は前記初期非アクセス層プロセスの種類がトラッキングエリア更新プロセスである場合に、確定した方式は前記第一ページングメッセージに対応するページングプロセスを無視し、活性化識別子を携帯したトラッキングエリア更新プロセスを開始し、
前記第一ページングメッセージに対応するページングプロセスはサービス要請プロセスを含むことを特徴とする請求項１１記載の通信サービスプロセス衝突を処理する方法。
【請求項１４】
ユーザー設備は前記初期非アクセス層プロセスの種類がサービス要請プロセスである場合に、確定した方式は、
ユーザー設備が前記第一ページングメッセージに対応するページング要請を受け入れる場合、初期非アクセス層プロセスへの実行を無視し、前記第一ページングメッセージに対応するページングプロセスを処理し、
ユーザー設備が前記第一ページングメッセージに対応するページング要請を拒否する場合、前記第一ページングメッセージに対応するページングプロセスを無視し、前記初期非アクセス層プロセスを処理する、
ことを特徴とする請求項１１記載の通信サービスプロセス衝突を処理する方法。
【請求項１５】
前記ユーザー設備が第二ページングメッセージを受信し、前記第二ページングメッセージは、前記ネットワーク側装置が前記ユーザー設備により開始された初期非アクセス層プロセスを処理完了後、前記初期非アクセス層プロセスの種類により、回線交換ドメイン接続状態のページングプロセスを開始する必要があると確定した際に開始された回線交換ドメイン接続状態のページングプロセスに対応するメッセージであることと、
受信された前記第二ページングメッセージにより、前記ネットワーク側装置から開始された回線交換ドメイン接続状態のページングプロセスを処理することと、
を更に含むことを特徴とする請求項１３又は１４に記載の通信サービスプロセス衝突を処理する方法。
【請求項１６】
ネットワーク側装置がユーザー設備に対して回線交換ドメインのページングメッセージである第一ページングメッセージを送信することと、
前記ユーザー設備から送信された第一ページングメッセージに対応する応答メッセージを受信した場合、前記第一ページングメッセージに対応するページングプロセスを処理することと、
前記ユーザー設備により初期非アクセス層プロセスを開始するに対応するメッセージを受信した場合、前記ユーザー設備より開始された初期非アクセス層プロセスを処理することと、
を含むことを特徴とする通信サービスプロセス衝突を処理する方法。
【請求項１７】
ネットワーク側装置は前記初期非アクセス層プロセスを処理完了後、前記初期非アクセス層プロセスの種類により、回線交換ドメイン接続状態のページングプロセスを開始する必要があるかどうかを判断することと、
回線交換ドメイン接続状態のページングプロセスを開始する必要があると判断した場合、前記回線交換ドメイン接続状態のページングプロセスを開始することと、
前記ユーザー設備に対して、前記開始された回線交換ドメイン接続状態のページングプロセスに対応する第二ページングメッセージを送信することと、
を更に含むことを特徴とする請求項１６記載の通信サービスプロセス衝突を処理する方法。
【請求項１８】
ネットワーク側装置は前記初期非アクセス層プロセスの種類がデタッチプロセスである場合、回線交換ドメイン接続状態のページングプロセスを開始する必要がないと確定し、又は、
ネットワーク側装置は前記初期非アクセス層プロセスの種類がトラッキングエリア更新プロセス又はサービス要請プロセスである場合、回線交換ドメイン接続状態のページングプロセスを開始する必要があると確定する、ことを特徴とする請求項１７記載の通信サービスプロセス衝突を処理する方法。
【請求項１９】
ネットワーク側装置から送信された第一ページングメッセージを受信する受信ユニットと、
受信ユニットにより受信された第一ページングメッセージが回線交換ドメインのページングメッセージであるかどうか、且つ前記ユーザー設備が丁度初期非アクセス層プロセスを開始しようとしているかどうかを判断する判断ユニットと、
判断ユニットにより、受信ユニットで受信された前記第一ページングメッセージが回線交換ドメインのページングメッセージであり、且つ前記ユーザー設備が丁度初期非アクセス層プロセスを開始しようとしていると判断した場合、前記初期非アクセス層プロセスの種類により、前記第一ページングメッセージに対応するページングプロセスと前記初期非アクセス層プロセスとを処理する方式を確定する確定ユニットと、
確定ユニットで確定された方式により、前記第一ページングメッセージに対応するページングプロセスと前記初期非アクセス層プロセスとを処理する処理ユニットと、
を含むことを特徴とするユーザー設備。
【請求項２０】
ユーザー設備は前記初期非アクセス層プロセスの種類がデタッチプロセスである場合に、前記確定ユニットにより確定した方式は前記第一ページングメッセージに対応するページングプロセスを無視し、前記デタッチプロセスを開始することである、ことを特徴とする請求項１９記載のユーザー設備。
【請求項２１】
ユーザー設備は前記初期非アクセス層プロセスの種類がトラッキングエリア更新プロセスである場合に、前記確定ユニットにより確定した方式は前記第一ページングメッセージに対応するページングプロセスを無視し、活性化識別子を携帯したトラッキングエリア更新プロセスを開始し、
前記第一ページングメッセージに対応するページングプロセスはサービス要請プロセスを含むことを特徴とする請求項１９記載のユーザー設備。
【請求項２２】
ユーザー設備は前記初期非アクセス層プロセスの種類がサービス要請プロセスである場合に、前記確定ユニットにより確定した方式は、
ユーザー設備が前記第一ページングメッセージに対応するページング要請を受け入れる場合、初期非アクセス層プロセスへの実行を無視し、前記第一ページングメッセージに対応するページングプロセスを処理し、
ユーザー設備が前記第一ページングメッセージに対応するページング要請を拒否する場合、前記第一ページングメッセージに対応するページングプロセスを無視し、前記初期非アクセス層プロセスを処理する、
ことを特徴とする請求項１９記載のユーザー設備。
【請求項２３】
前記受信ユニットが更に第二ページングメッセージを受信し、前記第二ページングメッセージは、前記ネットワーク側装置が前記ユーザー設備により開始された初期非アクセス層プロセスを処理完了後、前記初期非アクセス層プロセスの種類により、回線交換ドメイン接続状態のページングプロセスを開始する必要があると確定した際に開始された回線交換ドメイン接続状態のページングプロセスに対応するメッセージであり、
前記処理ユニットは、更に、受信された前記第二ページングメッセージにより、前記ネットワーク側装置から開始された回線交換ドメイン接続状態のページングプロセスを処理する、
ことを特徴とする請求項２１又は２２に記載のユーザー設備。
【請求項２４】
ユーザー設備に対して回線交換ドメインのページングメッセージである第一ページングメッセージを送信する送信ユニットと、
前記ユーザー設備から送信された第一ページングメッセージに対応する応答メッセージ、又は前記ユーザー設備により初期非アクセス層プロセスを開始するに対応するメッセージを受信する受信ユニットと、
受信ユニットにより前記ユーザー設備から送信された第一ページングメッセージに対応する応答メッセージを受信した場合、前記第一ページングメッセージに対応するページングプロセスを処理する第一処理ユニットと、
受信ユニットで前記ユーザー設備により初期非アクセス層プロセスを開始するに対応するメッセージを受信した場合、前記ユーザー設備より開始された初期非アクセス層プロセスを処理する第二処理ユニットと
を含むことを特徴とするＥＰＳ移動管理装置。
【請求項２５】
第二処理ユニットにより前記初期非アクセス層プロセスを処理完了後、前記初期非アクセス層プロセスの種類により、回線交換ドメイン接続状態のページングプロセスを開始する必要があるかどうかを判断する判断ユニットと
判断ユニットにより回線交換ドメイン接続状態のページングプロセスを開始する必要があると判断した場合、前記回線交換ドメイン接続状態のページングプロセスを開始し、又、前記ユーザー設備に対して前記開始された回線交換ドメイン接続状態のページングプロセスに対応する第二ページングメッセージを送信するプロセス開始ユニットと
を更に含むことを特徴とする請求項２４記載のＥＰＳ移動管理装置。
【請求項２６】
前記判断ユニットは前記初期非アクセス層プロセスの種類がデタッチプロセスである場合、回線交換ドメイン接続状態のページングプロセスを開始する必要がないと確定し、又は、
前記判断ユニットは前記初期非アクセス層プロセスの種類がトラッキングエリア更新プロセス又はサービス要請プロセスである場合、回線交換ドメイン接続状態のページングプロセスを開始する必要があると確定する、ことを特徴とする請求項２５記載のＥＰＳ移動管理装置。
【国際調査報告】
2012518296.tif 000012
2012518296.tif 000013
2012518296.tif 000014
2012518296.tif 000015
2012518296.tif 000016
2012518296.tif 000017